(57)【要約】      （修正有）【課題】簡便な方法を用いて板状部材が歪むことなく保持することが可能な板状部材の保持構造を得る。【解決手段】第１の押さえ部材３１０には第１の穴及び突起３１５が設けられる。第２の押さえ部材３２０は板状部材３３０を覆う程度の大きさを有し、第２及び第３の穴が設けられる。板状部材３３０には第４の穴が設けられる。第１の穴と第２の穴にはリベット３４０が嵌挿されて、係止される。これにより、第１及び第２の押さえ板３１０、３２０が密着する。このとき、突起３１５は第３及び第４の穴と係合する。これにより、板状部材３３０は第１及び第２の押さえ板３１０、３２０の間で位置が固定され、動くことはない。【選択図】図２
2008111966.tif 000002
【特許請求の範囲】
【請求項１】
第１の押さえ部材と第２の押さえ部材との間に挟持される板状部材を備え、
前記第１の押さえ部材は、前記板状部材と重合しない位置に設けられる第１の穴、及び前記板状部材と重合する位置に設けられる突起を有し、
前記第２の押さえ部材は、前記第１の穴に対応する位置に設けられる第２の穴、及び前記突起に対応する位置に設けられる第３の穴を有し、
前記板状部材は、前記突起及び前記第３の穴に対応する位置に設けられる第４の穴を有し、
前記第１の穴と前記第２の穴とは接合され、前記突起と前記第３の穴と前記第４の穴とは係合することを特徴とする板状部材の保持構造。
【請求項２】
前記第１の穴と前記第２の穴は鋲着されて接合することを特徴とする請求項１に記載の板状部材の保持構造。
【請求項３】
前記板状部材は絞り窓を有し、
前記第１の押さえ部材は第１の開口部とを有し、
前記第２の押さえ部材は第２の開口部とを有し、
前記第１及び第２の押さえ板は前記絞り窓が前記第１及び第２の開口部から露出するように前記板状部材を挟持することを特徴とする請求項２に記載の板状部材の保持構造。
【発明の詳細な説明】
【技術分野】
【０００１】
本発明は、例えば内視鏡装置が備える光源装置に用いられる板状部材の保持構造に関する。
【背景技術】
【０００２】
従来、光源装置に設けられて光源から出射される照明光の光量の制御を行う露光装置には、光路を通過する照明光の制御を行うために極細幅のスリットを有する板状の羽絞りが用いられる。羽絞りには一定の強度が要求される一方で、スリットには厚さが薄いことが求められる。そのため、羽絞りに薄いスリットを溶融接合する方法が提案されている（特許文献１）。
【特許文献１】特開２００２−１９６２６１号公報
【発明の開示】
【発明が解決しようとする課題】
【０００３】
しかし、溶融接合するとスリットに歪みが生じ、正確なスリットの幅を得られないという問題がある。
【０００４】
本発明は、この問題を解決するためになされたものであり、簡便な方法を用いて板状部材が歪むことなく保持することが可能な板状部材の保持構造を得ることを目的とする。
【課題を解決するための手段】
【０００５】
本発明による板状部材の保持構造は、第１の押さえ部材と第２の押さえ部材との間に挟持される板状部材を備え、第１の押さえ部材は、板状部材と重合しない位置に設けられる第１の穴、及び板状部材と重合する位置に設けられる突起を有し、第２の押さえ部材は、第１の穴に対応する位置に設けられる第２の穴、及び突起に対応する位置に設けられる第３の穴を有し、板状部材は、突起及び第３の穴に対応する位置に設けられる第４の穴を有し、第１の穴と第２の穴とは接合され、突起と第３の穴と第４の穴とは係合することを特徴とする。
【０００６】
第１の穴と第２の穴は鋲着されて接合されても良い。
【０００７】
板状部材は絞り窓を有し、第１の押さえ部材は第１の開口部とを有し、第２の押さえ部材は第２の開口部とを有し、第１及び第２の押さえ板は絞り窓が第１及び第２の開口部から露出するように板状部材を挟持することが好ましい。
【発明の効果】
【０００８】
本発明によれば、簡便な方法を用いて板状部材が歪むことなく保持することが可能な板状部材の保持構造を得ることができる。
【発明を実施するための最良の形態】
【０００９】
以下、本発明における板状部材の保持構造の実施形態について添付図面を参照して説明する。
【００１０】
板状部材の保持構造を図１から図６を用いて説明する。
【００１１】
露光装置１００は内視鏡装置の光源装置４００に設けられる。内視鏡装置はスコープ６００と、スコープ６００に接続されるビデオプロセッサー５００とから主に構成される。ビデオプロセッサー５００は内部に光源装置４００を備える。光源装置４００が発生する照明光はスコープ６００に伝達される。スコープ６００は人体に挿入されて照明光を観察部位に照射する。
【００１２】
光源装置４００は光源４１０と、第１及び第２の集光レンズと、露光装置１００とを有する。光源４１０から生じた照明光は第１の集光レンズ４２０により集光されて露光装置１００に導かれる。露光装置１００は照明光の光路を遮断又は開放する。光路が開放されると、照明光は第２の集光レンズ４３０により集光されてスコープ６００に伝達される。スコープ６００は照明光を観察対象物に照射する。光路４４０が遮断されると、照明光はスコープ６００に伝えられず、観察対象物は照明されない。
【００１３】
露光装置１００はロータリシャッタ２００と羽絞り３００とを主に備える。ロータリシャッタ２００は駆動円盤２１０と従動円盤２２０とを有する。駆動円盤２１０と従動円盤２２０は同軸に設けられ、第１のモータ２３０により一定の速度で回転する。駆動円盤２１０と従動円盤２２０にはそれぞれ対応する位置に図示しない開口部が設けられる。それぞれの開口部が重なることにより図示しないシャッタ窓が形成され、従動円盤２２０が駆動円盤２１０に対して相対的に回転することにより、シャッタ窓の大きさが調整される。
【００１４】
第１の集光レンズ４２０とロータリシャッタ２００との間の光路４４０上には羽絞り３００が設けられる。羽絞り３００は第１及び第２の押さえ部材３１０、３２０と、板状部材３３０とから主に構成される。第１の押さえ部材３１０はロータリシャッタ２００の径方向に伸びる円弧状の頭部３１１と、頭部３１１の内周における中央部からその円弧の中心に向けて伸びる脚部３１２とを有する。
【００１５】
脚部３１２には第２のモータ１０２が取り付けられ、羽絞り３００は第２のモータ１０２の軸Ｏを中心に回動する。
【００１６】
板状部材３３０は極薄厚であって、絞り部３３３を有する(図６参照)。絞り部３３３は、最も幅の広い全開部３３４において、絞り部３３３は光路４４０を完全に開放するに十分な大きさを有する円形状である。円形状の全開部３３４と最も幅の狭い最小部３３５とは、絞り部３３４に対して凸である曲線によって連続的に接続され、全開部３３４から最小部３３５に向けて急激に幅が狭くなる。
【００１７】
第１及び第２の押さえ部材３１０、３２０は、第１及び第２の開口部３１３、３２３を有する。第１及び第２の開口部３１３、３２３は絞り部３３３全体が露出することが可能な大きさを有する。第１の押さえ部材３１０には第１の穴３１４及び突起３１５が設けられる。第１の穴３１４は板状部材３３０と重複しない位置であって、第２の押さえ部材３２０と重複する位置であって、板状部材３３０の周囲を囲むように５つ設けられる。突起３１５は、ハーフパンチを用いて、板状部材３３０と重複する位置に複数設けられる。
【００１８】
第２の押さえ部材３２０は板状部材３３０を覆う程度の大きさを有し、第２及び第３の穴３２４、３２５が設けられる。第２の穴３２４は、第１及び第２の押さえ部材３１０、３２０が重合されたとき、第１の穴３１４に対応する位置に設けられる。第３の穴３２５は、第１及び第２の押さえ部材３１０、３２０が重合されたとき、突起３１５に対応する位置に設けられる。
【００１９】
板状部材３３０には第４の穴３３６が設けられる。第４の穴３３６は、第１及び第２の押さえ部材３１０、３２０が重合されたとき、突起３１５に対応する位置に設けられる。
【００２０】
第１の穴と第２の穴３１４、３２４にはリベット３４０が嵌挿されて、係止される。これにより、第１及び第２の押さえ板３１０、３２０が密着する。このとき、突起３１５は第３及び第４の穴３２５、３３６と係合する。これにより、板状部材３３０は第１及び第２の押さえ板３１０、３２０の間で位置が固定され、動くことはない。
【００２１】
これにより、簡便、かつ絞り部が歪むことなく板状部材を固定することが可能となる。
【００２２】
また、この板状部材の支持構造により板状部材を支持する羽絞りを用いた露光装置を備える内視鏡装置を用いることにより、観察部位に非常に短時間の照明光を照射することが出来、ぶれのない静止画像を得ることが可能となる。
【００２３】
なお、突起３１５はハーフパンチによるものでなくても良く、突起３１５を形成することが出来る方法であれば良い。
【図面の簡単な説明】
【００２４】
【図１】内視鏡装置の一部概念図である。
【図２】絞り羽根の正面図である。
【図３】絞り羽根の図２のIII−III線における一部断面図である。
【図４】第１の押さえ部材の正面図である。
【図５】第２の押さえ部材の正面図である。
【図６】板状部材の正面図である。
【符号の説明】
【００２５】
１００  露光装置
１０２  第２のモータ
２００  ロータリシャッタ
２３０  第１のモータ
３００  羽絞り
３１０  第１の押さえ部材
３１４  第１の穴
３１５  突起
３２０  第２の押さえ部材
３２４  第２の穴
３３０  板状部材
【図１】
2008111966.tif 000003
【図２】
2008111966.tif 000004
【図３】
2008111966.tif 000005
【図４】
2008111966.tif 000006
【図５】
2008111966.tif 000007
【図６】
2008111966.tif 000008